(57)【要約】      （修正有）【課題】軟質な背面側の下肢部の筋肉に対し十分な着圧を働かせる。【解決手段】  スパッツ１は、全体としてこれを被着する人間の腰部から下肢部に密着する着圧力を有しており、その着圧はそれぞれの部位で異なって設定されている。  スパッツ１の各部位の着圧の強さは、縫製の仕方、材質の相違等により「強」、「中強」、「弱」の３種類に異なって形成されている。スパッツ１はレッグ部５の大腿部５Ａの背面側の着圧、下腿部５Ｃの背面側の着圧がレッグ部５前面側の着圧より強化して形成されており、スパッツ１を下腿部５に履くだけで、軟質な筋肉により形成されている下腿部５の背面側に十分な着圧が働く。【選択図】図２
2014118636.tif 000002
【特許請求の範囲】
【請求項１】
人体の下肢部に緊締して装着する股付き衣類であって、背面側の着圧を前面側の着圧より強化して形成されている下ことを特徴とする股付き衣類。
【請求項２】
下肢部の膝部の前面及び側面の着圧を背面側の着圧より強化して形成されていることを特徴とする請求項１記載の股付き衣類。
【発明の詳細な説明】
【技術分野】
【０００１】
本発明は、スパッツ、タイツ、レギンス等、人間の下肢部に密着状に装着する股付き衣類に関するものである。
【背景技術】
【０００２】
スパッツ、タイツ、レギンス等の股付き衣類は、人体の下肢部に装着されることにより下肢部が着圧されることになり、この股付き衣類による着圧により、下肢部の筋肉が軽くなり、運動能力の向上、けがの防止等に役立つことができる。
従来、股付き衣類は着圧が全体で同一に形成されているため、これを下肢部に装着した場合、着圧は下肢部全体に同一に働く。
【０００３】
ところが、人体の下肢部は、相対的に硬質である前面側の筋肉に対し背面側の筋肉が軟質に形成されている。
このため、股付き衣類を下肢部に履いた場合、股付き衣類の前面側、背面側で筋肉に加わる着圧が同一に働くと、軟質な筋肉の背面では硬質な筋肉の前面より圧迫される力（被着圧）が弱くなり、着圧が十分に働かない場合があった。
【０００４】
【特許文献１】特許第４６４２５２４号公報
【発明の概要】
【発明が解決しようとする課題】
【０００５】
解決しようとする問題点は、股付き衣類の着圧が前後で同一に形成されていると、軟質な筋肉の下肢部の背面側について、着圧が十分に働かない点である。
【課題を解決するための手段】
【０００６】
本発明は、下肢部の背面側に十分な着圧を働かせるため、股付き衣類の背面側の着圧を前面側の着圧より強化して形成されていることを最も主要な特徴とする。
【発明の効果】
【０００７】
本発明の股付き衣類は、軟質な筋肉である下肢部背面の筋肉にも十分な着圧が働くため、軟質な筋肉の背面側に対して着圧される力（被着圧力）が強化されることになり、背面の筋肉がより軽くなり、運動能力のさらなる向上、さらなるけがの防止等に役立つことができるという利点がある。
【発明を実施するための形態】
【０００８】
前後で硬軟の筋質の差がある下肢部の筋肉に合わせて十分な着圧を働かせるという目的を、股付き衣服の前後の着圧を変えることで実現した。
【実施例１】
【０００９】
図１乃至図３は、それぞれ本発明の１実施例であるスパッツ１の正面図、背面図、左側面図、図４乃至図６はスパッツ１に着圧力の強弱を表した正面図、背面図、左側面図である。
【００１０】
スパッツ１は、全体としてこれを被着する人間の腰部から下肢部に密着する着圧力を有しており、その着圧はそれぞれの部位で異なって設定されている。
【００１１】
スパッツ１の各部位の着圧の強さは、縫製の仕方、材質の相違等により「強」、「中強」、「弱」の３種類に異なって形成されている。
【００１２】
スパッツ１の上端のウェストテープ部２、補助テープ部２Aと下端の口ゴム３の着圧は、全周の着圧が「強」で一定に設定されており、人間の腰部とくるぶしに強い状態で密着する。
【００１３】
スパッツ１のウェストテープ部２、補助テープ２Aと下端の口ゴム３との間には、ボトムウェア部４、レッグ部５が配置されて構成される。
【００１４】
上記ボトムウェア部４と、レッグ部５とは、前面側の着圧と、背面側の着圧を異ならせて形成されている。
【００１５】
ボトムウェア部４の前面側の着圧は、補助テープ２A真下の仕切り部４Aが「中強」、レッグ部５真上の仕切り部４Bが「中強」、ウェア部４Cが「中強」に形成される一方、
ボトムウェア部４の背面側の着圧は、補助テープ２A真下の仕切り部４Aが「中強」、レッグ部５真上の仕切り部４Bが「中強」、ウェア部４Cが「弱」に形成されているともに、
ボトムウェア部４の側面側の着圧は、中央ｃが「弱」、周囲Ｃが「中強」に形成されている。
【００１６】
ボトムウェア部４の下部のレッグ部５は、大腿部５A、膝部５B、下腿部５Cから構成されている。
【００１７】
大腿部５Aの前面側の着圧は「弱」、背面側の着圧は「強」に形成されている。
【００１８】
膝部５Bは、前面から側面の着圧が「強」、背面側の着圧が「弱」に形成されている。
【００１９】
下腿部５Cの前面側の着圧は「弱」、背面側の着圧は「強」に形成されている。
【００２０】
上記のように構成されたスパッツ１を人間の腰部から下肢部に装着すると、スパッツ１の全体の着圧によりスパッツ１が人間の下肢部に密着する。
【００２１】
この際、レッグ部５は、大腿部５Aの着圧及び下腿部５Bの着圧が前面で「弱」、背面で「強」に設定されて形成されていることから、前面側の筋質に比較して軟質の背面側の筋肉に対し強い着圧が働く。
【００２２】
このように、スパッツ１を装着するだけで、軟質な筋肉の背面側に対して着圧される力（被着圧）が強化されることになり、背面側の筋肉がより軽くなり、運動能力のさらなる向上、さらなるけがの防止等の効果を容易に得ることができる。
すなわち、テーピングした場合と同様な効果を得ることができる。
【００２３】
また、膝部５Bは、前面から側面の着圧が「強」、背面側の着圧が「弱」に形成されていることから、下腿部５の背面側の着圧が強化されているにも関わらず屈曲する膝部５Ｂの屈曲動作の妨げになることなく、膝部５Ｂは屈曲を容易に行うことができる。
【００２４】
なお、スパッツ１について説明したが、本発明はスパッツ１に限定されるものではなく、タイツ、レギンス、パンティストッキング他股付き衣類であればよい。
【００２５】
図７は、垂直飛ぶ、反復横とび、１５００ｍ走を行った場合について、スパッツ１を履いた場合（Ａ）とスパッツ１を前後逆に履いた場合（Ｂ）とを測定した比較表である。
【００２６】
まず、垂直飛びについてみると、被験者Ａは、スパッツ１を履いた場合（Ａ）の測定値が６３ｃｍ、スパッツ１を前後逆に履いた場合（Ｂ）の測定値６１ｃｍであり、その差+２ｃｍが向上し、被験者Ｂは、スパッツ１を履いた場合（Ａ）の測定値が６６ｃｍ、スパッツ１を前後逆に履いた場合（Ｂ）の測定値６２ｃｍであり、その差+４ｃｍが向上し、被験者Ｃは、スパッツ１を履いた場合（Ａ）の測定値が６１ｃｍ、スパッツ１を前後逆に履いた場合（Ｂ）の測定値５８ｃｍであり、その差+３ｃｍが向上し、被験者Ｄは、スパッツ１を履いた場合（Ａ）の測定値が６８ｃｍ、スパッツ１を前後逆に履いた場合（Ｂ）の測定値６１ｃｍであり、その差+７ｃｍが向上し、被験者Ａ、被験者Ｂ、被験者Ｃ、被験者Ｄのいずれの者も、スパッツ１を履いた場合（Ａ）の測定値がスパッツ１を前後逆に履いた場合（Ｂ）の測定値を上回っており、運動能力が向上したことを物語っている。
【００２７】
次に、反復横とびにみると、被験者Ａは、スパッツ１を履いた場合（Ａ）の測定値が６４回、スパッツ１を前後逆に履いた場合（Ｂ）の測定値６４回であり、その差+０回であり、被験者Ｂは、スパッツ１を履いた場合（Ａ）の測定値が６９回、スパッツ１を前後逆に履いた場合（Ｂ）の測定値６５回であり、その差+４回向上し、被験者Ｃは、スパッツ１を履いた場合（Ａ）の測定値が６４回、スパッツ１を前後逆に履いた場合（Ｂ）の測定値５８回であり、その差+３回向上し、被験者Ｄは、スパッツ１を履いた場合（Ａ）の測定値が６９回、スパッツ１を前後逆に履いた場合（Ｂ）の測定値６８回であり、その差+１回向上し、被験者Ａは、スパッツ１を履いた場合（Ａ）と、スパッツ１を前後逆に履いた場合（Ｂ）とが同じ記録であるが、被験者Ｂ、被験者Ｃ、被験者Ｄのいずれの者も、スパッツ１を履いた場合（Ａ）の測定値がスパッツ１を前後逆に履いた場合（Ｂ）の測定値を上回っており、運動能力が向上したことを物語っている。
【００２８】
次に、１５００ｍ走にみると、被験者Ａは、スパッツ１を履いた場合（Ａ）の測定値が５分４５秒、スパッツ１を前後逆に履いた場合（Ｂ）の測定値が５分５５秒であり、その差−１０秒低下し、被験者Ｂは、スパッツ１を履いた場合（Ａ）の測定値が６分００秒、スパッツ１を前後逆に履いた場合（Ｂ）の測定値５分５５秒であり、その差＋５秒向上し、被験者Ｃは、スパッツ１を履いた場合（Ａ）の測定値が６分３２秒、スパッツ１を前後逆に履いた場合（Ｂ）の測定値が６分３８秒であり、その差−６秒低下し、被験者Ｄは、スパッツ１を履いた場合（Ａ）の測定値が６分４８秒、スパッツ１を前後逆に履いた場合（Ｂ）の測定値６分４８秒であり、その差±０秒で同一、被験者により、能力が向上した者と能力が低下したものとに別れたが、この測定結果は本発明のスパッツ１は長距離走では役に立たず、運動能力が向上しないことが分かる。
この結果、本発明のスパッツ１は、筋力運動については向いているが、呼吸運動には向いていない。
【００２９】
次に、１５００ｍ走にみると、被験者Ａは、スパッツ１を履いた場合（Ａ）の測定値が５分４５秒、スパッツ１を前後逆に履いた場合（Ｂ）の測定値が５分５５秒であり、その差−１０秒記録が短縮し、被験者Ｂは、スパッツ１を履いた場合（Ａ）の測定値が６分００秒（「被験者Ｂは膝の内側側副靱帯損傷の怪我」のため、疼痛をかかえたままの記録）、スパッツ１を前後逆に履いた場合（Ｂ）の測定値５分５５秒（「被験者Ｂは膝の内側側副靱帯損傷の怪我」の回復後）であり、その差＋５秒の記録の低下がみられた、被験者Ｃは、スパッツ１を履いた場合（Ａ）の測定値が６分３２秒、スパッツ１を前後逆に履いた場合（Ｂ）の測定値が６分３８秒であり、その差−６秒記録が短縮し、被験者Ｄは、スパッツ１を履いた場合（Ａ）の測定値が６分４８秒、スパッツ１を前後逆に履いた場合（Ｂ）の測定値６分４８秒であり、その差±０秒で同一（記録の変化が見られなかった）で、被験者の記録の変化がみられなかった。運動能力の低下がみられたものは怪我のため十分に能力を出し切れなかったため、記録の低下に繋がったものと考える。
この結果、本発明のスパッツ１は、全ての種目（垂直飛び、反復横とび、１５００ｍ）に高い値がみられた。
【００３０】
測定日を、９月６日、９月７日、９月１９日、９月２０日とし、被験者Ｎ．Ｔ、Ｄ．Ｓ、Ｋ．Ｋ、Ｋ．Ｉの４人について、スパッツ１を履いて運動した場合Ａと、スパッツ１を履かずに運動した場合Ｂについて、３分安静後、トレッドミル（室内ランニング器具）で走らせ、３分毎に１．２ｋｍ／ｈずつ運動強度を強め、その都度、運動中の被験者Ｎ．Ｔ、Ｄ．Ｓ、Ｋ．Ｋ、Ｋ．Ｉから乳酸菌キッドにより血液を採取して乳酸値（ｍｍｏｌ/  Ｌ）を測ったものである。
【００３１】
図８の比較表は、すべての被験者Ｎ．Ｔ、Ｄ．Ｓ、Ｋ．Ｋ、Ｋ．Ｉにおいて、その乳酸値がスパッツ１を履いて運動した場合Ａのほうが低く、スパッツ１を履かずに運動した場合Ｂのほうが高くなっていることを示している。
【００３２】
また、図９は被験者Ｋ．Ｉについての測定値を示しているが、  乳酸値はスパッツ１を履いて運動した場合Ａとスパッツ１を履かずに運動した場合Ｂで、運動時に最も乳酸値の差が認められのは６分、１２分であり、６分時は履いて運動した場合Ａが２．０ｍｍｏｌ／Ｌ、履かずに運動した場合Ｂが２．６ｍｍｏｌ／Ｌであり、１２分時は履いて運動した場合Ａが３．５ｍｍｏｌ／Ｌ、履かずに運動した場合Ｂが４．０ｍｍｏｌ／Ｌである。
【００３３】
逆に、運動時に最も乳酸値の差が認められなかったのは１８分時であり、スパッツ１を履いて運動した場合Ａが６．６ｍｍｏｌ／Ｌ、スパッツ１を履かずに運動した場合Ｂが６．９ｍｍｏｌ／Ｌである。
【００３４】
このように、スパッツ１を履いて運動した場合Ａと、スパッツ１を履かずに運動した場合Ｂとでは、測定される乳酸値は、両者の差は顕著であり、スパッツ１を履いて運動した場合のほうが明らかに低くなり、スパッツ１が運動者の疲労軽減、疲労回復等、大いに役立っていることが分かる。
【産業上の利用可能性】
【００３５】
レッグ部５は、大腿部５Aの緊締力及び下腿部５Bの着圧が前面側で「強」、背面で「弱」に設定されて形成されていることから、前面側の筋質に比較して軟質の背面側の筋肉に対し強い着圧が働き、運動能力のさらなる向上、さらなるけがの防止等の効果を容易に得ることができる。
【図面の簡単な説明】
【００３６】
【図１】スパッツの前面図（実施例１）
【図２】スパッツの背面図（実施例１）
【図３】スパッツの左側面図（実施例１）
【図４】スパッツに緊締力を表した前面図（実施例１）
【図５】スパッツに緊締力を表した背面図（実施例１）
【図６】スパッツに緊締力を表した左側面図（実施例１）
【図７】垂直飛び、反復横とび、１５００ｍ走について、スパッツを履いた場合（Ａ）とスパッツを前後逆に履いた場合（Ｂ）とを測定した比較図（実施例１）
【図８】スパッツ１を履いて運動した場合Ａと、スパッツ１を履かずに運動した場合Ｂとの乳酸値を測定した比較表（実施例１）
【図９】１人の被験者についてスパッツ１を履いて運動した場合Ａと、スパッツ１を履かずに運動した場合Ｂの乳酸値の比較表及び比較グラフ（実施例１）
【符号の説明】
【００３７】
１    スパッツ
５    レッグ部
５A  大腿部
５Ｂ  膝部
５C  下腿部
【図１】
2014118636.tif 000003
【図２】
2014118636.tif 000004
【図３】
2014118636.tif 000005
【図４】
2014118636.tif 000006
【図５】
2014118636.tif 000007
【図６】
2014118636.tif 000008
【図７】
2014118636.tif 000009
【図８】
2014118636.tif 000010
【図９】
2014118636.tif 000011
【手続補正書】
【提出日】平成24年12月25日(2012.12.25)
【手続補正１】
【補正対象書類名】明細書
【補正対象項目名】全文
【補正方法】変更
【補正の内容】
【発明の詳細な説明】
【技術分野】
【０００１】
本発明は、スパッツ、タイツ、レギンス等、人間の下肢部に密着状に装着する股付き衣類に関するものである。
【背景技術】
【０００２】
スパッツ、タイツ、レギンス等の股付き衣類は、人体の下肢部に装着されることにより下肢部が着圧されることになり、この股付き衣類による着圧により、下肢部の筋肉が軽くなり、運動能力の向上、けがの防止等に役立つことができる。
従来、股付き衣類は着圧が全体で同一に形成されているため、これを下肢部に装着した場合、着圧は下肢部全体に同一に働く。
【０００３】
ところが、人体の下肢部は、相対的に硬質である前面側の筋肉に対し背面側の筋肉が軟質に形成されている。
このため、股付き衣類を下肢部に履いた場合、股付き衣類の前面側、背面側で筋肉に加わる着圧が同一に働くと、軟質な筋肉の背面では硬質な筋肉の前面より圧迫される力（被着圧）が弱くなり、着圧が十分に働かない場合があった。
【０００４】
【特許文献１】特許第４６４２５２４号公報
【発明の概要】
【発明が解決しようとする課題】
【０００５】
解決しようとする問題点は、股付き衣類の着圧が前後で同一に形成されていると、軟質な筋肉の下肢部の背面側について、着圧が十分に働かない点である。
【課題を解決するための手段】
【０００６】
本発明は、下肢部の背面側に十分な着圧を働かせるため、股付き衣類の背面側の着圧を前面側の着圧より強化して形成されていることを最も主要な特徴とする。
【発明の効果】
【０００７】
本発明の股付き衣類は、軟質な筋肉である下肢部背面の筋肉にも十分な着圧が働くため、軟質な筋肉の背面側に対して着圧される力（被着圧力）が強化されることになり、背面の筋肉がより軽くなり、運動能力のさらなる向上、さらなるけがの防止等に役立つことができるという利点がある。
【発明を実施するための形態】
【０００８】
前後で硬軟の筋質の差がある下肢部の筋肉に合わせて十分な着圧を働かせるという目的を、股付き衣服の前後の着圧を変えることで実現した。
【実施例１】
【０００９】
図１乃至図３は、それぞれ本発明の１実施例であるスパッツ１の正面図、背面図、左側面図、図４乃至図６はスパッツ１に着圧力の強弱を表した正面図、背面図、左側面図である。
【００１０】
スパッツ１は、全体としてこれを被着する人間の腰部から下肢部に密着する着圧力を有しており、その着圧はそれぞれの部位で異なって設定されている。
【００１１】
スパッツ１の各部位の着圧の強さは、縫製の仕方、材質の相違等により「強」、「中強」、「弱」の３種類に異なって形成されている。
【００１２】
スパッツ１の上端のウェストテープ部２、補助テープ部２Aと下端の口ゴム３の着圧は、全周の着圧が「強」で一定に設定されており、人間の腰部とくるぶしに強い状態で密着する。
【００１３】
スパッツ１のウェストテープ部２、補助テープ２Aと下端の口ゴム３との間には、ボトムウェア部４、レッグ部５が配置されて構成される。
【００１４】
上記ボトムウェア部４と、レッグ部５とは、前面側の着圧と、背面側の着圧を異ならせて形成されている。
【００１５】
ボトムウェア部４の前面側の着圧は、補助テープ２A真下の仕切り部４Aが「中強」、レッグ部５真上の仕切り部４Bが「中強」、ウェア部４Cが「中強」に形成される一方、
ボトムウェア部４の背面側の着圧は、補助テープ２A真下の仕切り部４Aが「中強」、レッグ部５真上の仕切り部４Bが「中強」、ウェア部４Cが「弱」に形成されているともに、
ボトムウェア部４の側面側の着圧は、中央ｃが「弱」、周囲Ｃが「中強」に形成されている。
【００１６】
ボトムウェア部４の下部のレッグ部５は、大腿部５A、膝部５B、下腿部５Cから構成されている。
【００１７】
大腿部５Aの前面側の着圧は「弱」、背面側の着圧は「強」に形成されている。
【００１８】
膝部５Bは、前面から側面の着圧が「強」、背面側の着圧が「弱」に形成されている。
【００１９】
下腿部５Cの前面側の着圧は「弱」、背面側の着圧は「強」に形成されている。
【００２０】
上記のように構成されたスパッツ１を人間の腰部から下肢部に装着すると、スパッツ１の全体の着圧によりスパッツ１が人間の下肢部に密着する。
【００２１】
この際、レッグ部５は、大腿部５Aの着圧及び下腿部５Bの着圧が前面で「弱」、背面で「強」に設定されて形成されていることから、前面側の筋質に比較して軟質の背面側の筋肉に対し強い着圧が働く。
【００２２】
このように、スパッツ１を装着するだけで、軟質な筋肉の背面側に対して着圧される力（被着圧）が強化されることになり、背面側の筋肉がより軽くなり、運動能力のさらなる向上、さらなるけがの防止等の効果を容易に得ることができる。
すなわち、テーピングした場合と同様な効果を得ることができる。
【００２３】
また、膝部５Bは、前面から側面の着圧が「強」、背面側の着圧が「弱」に形成されていることから、下腿部５の背面側の着圧が強化されているにも関わらず屈曲する膝部５Ｂの屈曲動作の妨げになることなく、膝部５Ｂは屈曲を容易に行うことができる。
【００２４】
なお、スパッツ１について説明したが、本発明はスパッツ１に限定されるものではなく、タイツ、レギンス、パンティストッキング他股付き衣類であればよい。
【００２５】
図７は垂直飛び、反復横とび、１５００ｍ走を行った場合について、スパッツを履いた場合と履かなかった場合とを測定した比較表である。続いて、図８は、垂直飛び、反復横とび、１５００ｍ走を行った場合について、スパッツ１を履いた場合（Ａ）とスパッツ１を前後逆に履いた場合（Ｂ）とを測定した比較表である。
【００２６】
まず、図７の垂直飛びについてみると、被験者Ａはスパッツ１を履かない場合の測定値が６１ｃｍ、スパッツ１を履いた場合（Ａ）の測定値６３ｃｍであり、その差＋２ｃｍが向上し、被験者Ｂはスパッツ１を履かない場合の測定値が６６ｃｍ、スパッツ1を履いた場合（A）の測定値６６ｃｍであり、その差±０ｃｍで同一、被験者Ｃはスパッツ１を履かない場合の測定値が６０ｃｍ、スパッツ１を履いた場合（Ａ）の測定値が６１ｃｍであり、その差＋１ｃｍが向上し、被験者Ｄはスパッツ１を履かない場合の測定値が６７ｃｍ、スパッツ１を履いた場合（Ａ）の測定値が６８ｃｍで、その差＋１ｃｍが向上し、被験者Ｂはスパッツ１を履かなかった場合と、スパッツ１を履いた場合（Ａ）とが同じ記録であるが、被験者Ａ、被験者Ｃ、被験者Ｄのいずれの者も、スパッツ１を履いた場合（Ａ）の測定値がスパッツ１を履かない場合の測定値を上回っていた。
続いて図８についてみると、被験者Ａは、スパッツ１を履いた場合（Ａ）の測定値が６３ｃｍ、スパッツ１を前後逆に履いた場合（Ｂ）の測定値６１ｃｍであり、その差+２ｃｍが向上し、被験者Ｂは、スパッツ１を履いた場合（Ａ）の測定値が６６ｃｍ、スパッツ１を前後逆に履いた場合（Ｂ）の測定値６２ｃｍであり、その差+４ｃｍが向上し、被験者Ｃは、スパッツ１を履いた場合（Ａ）の測定値が６１ｃｍ、スパッツ１を前後逆に履いた場合（Ｂ）の測定値５８ｃｍであり、その差+３ｃｍが向上し、被験者Ｄは、スパッツ１を履いた場合（Ａ）の測定値が６８ｃｍ、スパッツ１を前後逆に履いた場合（Ｂ）の測定値６１ｃｍであり、その差+７ｃｍが向上し、被験者Ａ、被験者Ｂ、被験者Ｃ、被験者Ｄのいずれの者も、スパッツ１を履いた場合（Ａ）の測定値がスパッツ１を前後逆に履いた場合（Ｂ）の測定値を上回っており、運動能力が向上したことを物語っている。
【００２７】
次に、図７の反復横とびについてみると、被験者Ａはスパッツ１を履かない場合の測定値が６３回、スパッツ１を履いた場合（Ａ）の測定値６４回であり、その差＋１回が向上し、被験者Ｂはスパッツ１を履かない場合の測定値が６８回、スパッツ1を履いた場合（A）の測定値６９回であり、その差＋1回で向上、被験者Ｃはスパッツ１を履かない場合の測定値が６２回、スパッツ１を履いた場合（Ａ）の測定値が６４回であり、その差＋２回が向上し、被験者Ｄはスパッツ１を履かない場合の測定値が６７回、スパッツ１を履いた場合（Ａ）の測定値が６９回で、その差＋２回が向上し、被験者Ａ、被験者Ｂ、被験者Ｃ、被験者Ｄのいずれの者も、スパッツ１を履いた場合（Ａ）の測定値がスパッツ1を履かない場合の測定値を上回っていた。
続いて図８についてみると、被験者Ａは、スパッツ１を履いた場合（Ａ）の測定値が６４回、スパッツ１を前後逆に履いた場合（Ｂ）の測定値６４回であり、その差+０回であり、被験者Ｂは、スパッツ１を履いた場合（Ａ）の測定値が６９回、スパッツ１を前後逆に履いた場合（Ｂ）の測定値６５回であり、その差+４回向上し、被験者Ｃは、スパッツ１を履いた場合（Ａ）の測定値が６４回、スパッツ１を前後逆に履いた場合（Ｂ）の測定値５８回であり、その差+３回向上し、被験者Ｄは、スパッツ１を履いた場合（Ａ）の測定値が６９回、スパッツ１を前後逆に履いた場合（Ｂ）の測定値６８回であり、その差+１回向上し、被験者Ａは、スパッツ１を履いた場合（Ａ）と、スパッツ１を前後逆に履いた場合（Ｂ）とが同じ記録であるが、被験者Ｂ、被験者Ｃ、被験者Ｄのいずれの者も、スパッツ１を履いた場合（Ａ）の測定値がスパッツ１を前後逆に履いた場合（Ｂ）の測定値を上回っており、運動能力が向上したことを物語っている。
【００２８】
次に、図７の１５００ｍ走についてみると、被験者Ａはスパッツ１を履かない場合の測定値が５分５０秒、スパッツ１を履いた場合（Ａ）の測定値５分４５秒であり、その差−５秒記録が短縮し、被験者Ｂはスパッツ１を履かない場合の測定値が６分１０秒、スパッツ1を履いた場合（A）の測定値６分００秒であり、その差−１０秒記録が短縮し、被験者Ｃはスパッツ１を履かない場合の測定値が６分３５秒、スパッツ１を履いた場合（Ａ）の測定値が６分３２秒であり、その差−３秒記録が短縮し、被験者Ｄはスパッツ１を履かない場合の測定値が６分５０秒、スパッツ１を履いた場合（Ａ）の測定値が６分４８秒で、その差―２秒記録が短縮し、被験者Ａ、被験者Ｂ、被験者Ｃ、被験者Ｄのいずれの者も、スパッツ１を履いた場合（Ａ）の測定値がスパッツ1を履かない場合の測定値を上回っていた。
続いて図８についてみると、被験者Ａは、スパッツ１を履いた場合（Ａ）の測定値が５分４５秒、スパッツ１を前後逆に履いた場合（Ｂ）の測定値が５分５５秒であり、その差−１０秒記録が短縮し、被験者Ｂは、スパッツ１を履いた場合（Ａ）の測定値が６分００秒（「被験者Ｂは膝の内側側副靱帯損傷の怪我」のため、疼痛をかかえたままの記録）、スパッツ１を前後逆に履いた場合（Ｂ）の測定値５分５５秒（「被験者Ｂは膝の内側側副靱帯損傷の怪我」の回復後）であり、その差＋５秒の記録の低下がみられた、被験者Ｃは、スパッツ１を履いた場合（Ａ）の測定値が６分３２秒、スパッツ１を前後逆に履いた場合（Ｂ）の測定値が６分３８秒であり、その差−６秒記録が短縮し、被験者Ｄは、スパッツ１を履いた場合（Ａ）の測定値が６分４８秒、スパッツ１を前後逆に履いた場合（Ｂ）の測定値６分４８秒であり、その差±０秒で同一（記録の変化が見られなかった）で、被験者の記録の変化がみられなかった。運動能力の低下がみられたものは怪我のため十分に能力を出し切れなかったため、記録の低下に繋がったものと考える。
この結果、本発明のスパッツ１は、全ての種目（垂直飛び、反復横とび、１５００ｍ）に高い値がみられた。
【００２９】
次に、図９の表３、表４は、スパッツ１を履いて運動した場合と、スパッツ１を履かずに運動した場合の乳酸値を測定した比較表、図１０は被験者全員についてスパッツ１を履いて運動した場合と、スパッツ１を履かずに運動した場合の乳酸値の平均の比較表及び比較グラフである。  
【００３０】
測定日を、９月６日、９月７日、９月１９日、９月２０日とし、被験者Ｎ．Ｔ、Ｄ．Ｓ、Ｋ．Ｋ、Ｋ．Ｉの４人について、スパッツ１を履いて運動した場合と、スパッツ１を履かずに運動した場合について、３分安静後、トレッドミル（室内ランニング器具）で走らせ、３分毎に１．２ｋｍ／ｈずつ運動強度を強め、その都度、運動中の被験者Ｎ．Ｔ、Ｄ．Ｓ、Ｋ．Ｋ、Ｋ．Ｉから乳酸菌キッドにより血液を採取して乳酸値（ｍｍｏｌ/  Ｌ）を測ったものである。
【００３１】
図９の表３,表４の比較表は、すべての被験者Ｎ．Ｔ、Ｄ．Ｓ、Ｋ．Ｋ、Ｋ．Ｉにおいて、その乳酸値がスパッツ１を履いて運動した場合Ａのほうが低く、スパッツ１を履かずに運動した場合のほうが高くなっていることを示している。
【００３２】
また、図１０はスパッツ着用時と未着用時の乳酸値の平均を示していて、  乳酸値はスパッツ１を履いて運動した場合とスパッツ１を履かずに運動した場合で、運動時に最も乳酸値の差が認められのは６分、１２分であり、６分時は履いて運動した場合が２．０ｍｍｏｌ／Ｌ、履かずに運動した場合が２．６ｍｍｏｌ／Ｌであり、１２分時は履いて運動した場合が３．５ｍｍｏｌ／Ｌ、履かずに運動した場合Ｂが４．０ｍｍｏｌ／Ｌである。
【００３３】
逆に、運動時に最も乳酸値の差が認められなかったのは１８分時であり、スパッツ１を履いて運動した場合Ａが６．６ｍｍｏｌ／Ｌ、スパッツ１を履かずに運動した場合Ｂが６．９ｍｍｏｌ／Ｌである。
【００３４】
このように、スパッツ１を履いて運動した場合と、スパッツ１を履かずに運動した場合とでは、測定される乳酸値は、両者の差は顕著であり、スパッツ１を履いて運動した場合のほうが明らかに低くなり、スパッツ１が運動者の疲労軽減、疲労回復等、大いに役立っていることが分かる。
【産業上の利用可能性】
【００３５】
レッグ部５は、大腿部５Aの緊締力及び下腿部５Bの着圧が前面側で「強」、背面で「弱」に設定されて形成されていることから、前面側の筋質に比較して軟質の背面側の筋肉に対し強い着圧が働き、運動能力のさらなる向上、さらなるけがの防止等の効果を容易に得ることができる。
【図面の簡単な説明】
【００３６】
【図１】スパッツの前面図（実施例１）
【図２】スパッツの背面図（実施例１）
【図３】スパッツの左側面図（実施例１）
【図４】スパッツに緊締力を表した前面図（実施例１）
【図５】スパッツに緊締力を表した背面図（実施例１）
【図６】スパッツに緊締力を表した左側面図（実施例１）
【図７】垂直飛び、反復横とび、１５００ｍ走について、スパッツを履いた場合とスパッツを履かなかった場合とを測定した比較表（実施例１）
【図８】垂直飛び、反復横とび、１５００ｍ走について、スパッツを履いた場合（Ａ）とスパッツを前後逆に履いた場合（Ｂ）とを測定した比較表（実施例１）
【図９】スパッツ１を履いて運動した場合（表3）、スパッツ１を履かずに運動した場合（表4）との乳酸値を測定した比較表（実施例１）
【図１０】被験者全員についてスパッツ１を履いて運動した場合と、スパッツ１を履かずに運動した場合の乳酸値の平均の比較表及び比較グラフ（実施例１）
【符号の説明】
【００３７】
１    スパッツ
５    レッグ部
５A  大腿部
５Ｂ  膝部
５C  下腿部
【手続補正２】
【補正対象書類名】特許請求の範囲
【補正対象項目名】全文
【補正方法】変更
【補正の内容】
【特許請求の範囲】
【請求項１】
人体の下肢部に緊締して装着する股付き衣類であって、背面側の着圧を前面側の着圧より強化して形成されている下ことを特徴とする股付き衣類。
【請求項２】
下肢部の膝部の前面及び側面の着圧を背面側の着圧より強化して形成されていることを特徴とする請求項１記載の股付き衣類。
【手続補正４】
【補正対象書類名】図面
【補正対象項目名】全図
【補正方法】変更
【補正の内容】
【図７】
2014118636.tif 000012
【図９】
2014118636.tif 000013
【図１】
2014118636.tif 000014
【図２】
2014118636.tif 000015
【図３】
2014118636.tif 000016
【図４】
2014118636.tif 000017
【図５】
2014118636.tif 000018
【図６】
2014118636.tif 000019
【図８】
2014118636.tif 000020
【図１０】
2014118636.tif 000021